(57)【特許請求の範囲】
【請求項１】
自装置の詳細情報を含まないＩＤ情報からなる第１報知フレームを第１無線通信方式で定期的に送信する第１無線送信装置と、
前記第１無線送信装置の前記詳細情報と前記ＩＤ情報もしくは当該ＩＤ情報の一部とを関連付けた情報を含む第２報知フレームを生成し、前記第２報知フレームを前記第１無線通信方式と異なる第２無線通信方式で定期的に送信する第２無線送信装置と、
前記第１報知フレームと前記第２報知フレームとを受信して、前記第１報知フレームと同じＩＤ情報もしくは当該ＩＤ情報の一部を有する前記第２報知フレームを特定し、当該第２報知フレームから前記第１無線送信装置の前記詳細情報を取得する端末装置と
を有することを特徴とする無線システム。
【請求項２】
請求項１に記載の無線システムにおいて、
前記ＩＤ情報と前記詳細情報とを関連付けたデータを記憶する管理データベースをさらに有し、
前記第２無線送信装置は、前記管理データベースに記憶された前記ＩＤ情報と前記詳細情報とを用いて前記第２報知フレームを生成する
ことを特徴とする無線システム。
【請求項３】
請求項１または請求項２に記載の無線システムにおいて、
ネットワークを介して前記ＩＤ情報と関連付けた前記詳細情報の登録を受け付けるＷｅｂ制御装置をさらに有し、
前記第２無線送信装置は、前記Ｗｅｂ制御装置に登録された前記ＩＤ情報と前記詳細情報とを用いて前記第２報知フレームを生成する
ことを特徴とする無線システム。
【請求項４】
請求項１から３のいずれか一項に記載の無線システムにおいて、
前記第１無線送信装置は、ＢＬＥ規格を用いて前記第１報知フレームを送信し、
前記第２無線送信装置は、無線ＬＡＮ規格を用いて前記第２報知フレームを送信する
ことを特徴とする無線システム。
【請求項５】
第１無線送信装置の詳細情報を含まないＩＤ情報からなり、前記第１無線送信装置から第１無線通信方式で定期的に送信される第１報知フレームを受信すると共に、前記第１無線送信装置の前記詳細情報と前記ＩＤ情報もしくは当該ＩＤ情報の一部とを関連付けされた状態で含み、前記第１無線送信装置とは異なる第２無線送信装置から前記第１無線通信方式と異なる第２無線通信方式で定期的に送信される第２報知フレームを受信する通信部と、
前記第１報知フレームに含まれる前記ＩＤ情報と、前記第２報知フレームに含まれる前記ＩＤ情報もしくは当該ＩＤ情報の一部と前記詳細情報とをそれぞれ抽出するビーコン情報解読部と、
前記ビーコン情報解読部が抽出した前記第１報知フレームと同じＩＤ情報もしくは当該ＩＤ情報の一部を有する前記第２報知フレームを特定し、当該第２報知フレームから前記第１無線送信装置の前記詳細情報を取得する判定部と
を有することを特徴とする端末装置。
【請求項６】
請求項５に記載の端末装置において、
前記通信部は、
前記第１無線送信装置から前記第１無線通信方式で送信される前記第１報知フレームを受信する第１通信部と、
前記第２無線送信装置から前記第２無線通信方式で送信される前記第２報知フレームを受信する第２通信部とを有し、
前記ビーコン情報解読部は、
前記第１報知フレームに含まれる前記ＩＤ情報を抽出する第１ビーコン情報解読部と、
前記第２報知フレームに含まれる前記ＩＤ情報もしくは当該ＩＤ情報の一部と前記詳細情報とを抽出する第２ビーコン情報解読部とを有する
ことを特徴とする端末装置。
【請求項７】
請求項５または６に記載の端末装置において、
前記判定部が取得した前記第１無線送信装置の前記詳細情報に基づいて、予め設定されたアプリケーションを起動するランチャー部をさらに有する
ことを特徴とする端末装置。
【請求項８】
第１無線送信装置、第２無線送信装置および端末装置を用いた識別情報報知方法であって、
前記第１無線送信装置は、自装置の詳細情報を含まないＩＤ情報からなる第１報知フレームを第１無線通信方式で定期的に送信し、
前記第２無線送信装置は、前記第１無線送信装置の前記詳細情報と前記ＩＤ情報もしくは当該ＩＤ情報の一部とを関連付けた第２報知フレームを前記第１無線通信方式と異なる第２無線通信方式で定期的に送信し、
前記端末装置は、前記第１報知フレームと前記第２報知フレームとを受信し、前記第１報知フレームと同じＩＤ情報もしくは当該ＩＤ情報の一部を有する前記第２報知フレームを特定し、当該第２報知フレームから前記第１無線送信装置の前記詳細情報を取得する
ことを特徴とする識別情報報知方法。
【発明の詳細な説明】
【技術分野】
【０００１】
本発明は、無線送信装置から端末装置に報知される識別情報に関連する詳細情報を取得し、無線送信装置の信頼性を向上する技術に関する。
【背景技術】
【０００２】
低消費電力で近距離無線通信を行うことが可能な無線システムとしてＢＬＥ(Bluetooth(登録商標) Low Energy)システムが知られている。ＢＬＥにはデバイス発見のために、自局の存在をアドバタイズメントパケットを用いて周辺に定期的に報知する仕組みがある(例えば、非特許文献１参照)。この仕組みを用いて、ＢＬＥ装置で位置情報提供を行うＢＬＥビーコンという利用形態が存在する(例えば、非特許文献２参照)。このＢＬＥシステムでは、ＢＬＥ親機とＢＬＥ子機とを有し、ＢＬＥ親機は自局を示すＩＤ(IDentifier)情報(識別情報)をアドバタイズメントパケットを用いて報知する。ＢＬＥビーコンのシステムでは、このアドバタイズメントパケットをビーコンフレームと呼称する（本明細書においては以降、ビーコンフレームと記載する）。この時、ＩＤ情報は、アドバタイズメントパケット内のＡＤdata(ADvertisement data)フィールドに記載される。ＩＤ情報の形式としては、一例として、ＵＵＩＤ(Universal Unique Identifier)値とそれを補足する識別子が用いられる(例えば、非特許文献２参照)。
【先行技術文献】
【非特許文献】
【０００３】
【非特許文献１】BLE Core Version 4.2（https://www.bluetooth.org/DocMan/handlers/DownloadDoc.ashx?doc_id=286439） vol.3, p.389
【非特許文献２】Getting Started with iBeacon（https://developer.apple.com/ibeacon/Getting-Started-with-iBeacon.pdf）p.2-p.3
【発明の概要】
【発明が解決しようとする課題】
【０００４】
ところが、ＢＬＥビーコンシステムの多くの無線送信装置(ＢＬＥ親機やＢＬＥ機能を利用する無線システムの親機)が報知するＩＤ情報は有意な文字列ではないため、受信端末(ＢＬＥ子機など)の利用者は、受信するＩＤ情報だけでは無線送信装置の設置場所や設置者(企業、団体など)を判別できないという問題がある。また、ＩＤ情報は技術的には第三者による書き換えが不可能ではなく世界で一意な値であるとは限らず、設置者が自由に変更できる場合もあり、また、例えば、盗難にあった無線送信装置が別の場所に置かれる可能性もあり、受信端末側で無線通信装置の詳細な情報を確認することが求められる。
【０００５】
受信するＩＤ情報に関連付けられた企業、店舗などの情報を取得する手段としては、例えばＢＬＥ機能を利用する無線システムの場合、店舗に設置されたＢＬＥ親機から送信されるビーコンフレームのＩＤ情報を検出する受信端末用のアプリケーションを利用する方法が用いられている。しかし、この方法では、利用者が店舗毎の専用のアプリケーションを事前に端末で待ち受けられる状態で起動しておかなければならないケースも想定され、また、その場合には、想定する店舗・サービス毎に複数のアプリケーションを稼働させておくことが必要となり、端末のメモリ消費や電力消費も増加するという問題がある。
【０００６】
図６は、従来技術の無線システム９００の一例を示す。無線システム９００において、ＢＬＥ親機９０１は、ビーコンフレーム９１０を予め決められた一定間隔で送信する。店舗Ａの店内に居る利用者の端末装置９０２は、ＢＬＥ親機９０１からビーコンフレーム９１０を受信して、当該ビーコンフレーム９１０のＩＤ用フィールド９１１に格納されたＩＤ情報を取得する。図６の例では、端末装置９０２は、店舗Ａ内で受信しているビーコンフレーム９１０のＩＤ情報”1111111111”を受信する。ここで、”1111111111”は任意の数字列を表すもので、その桁数、フォーマットなどを限定するものではない。以下、本明細書におけるＩＤ情報の例は同様の意味とする。ところが、端末装置９０２が店舗Ａ外のＢＬＥ親機９０１ａが送信するビーコンフレーム９１０ａも受信可能な場合、端末装置９０２は、ビーコンフレーム９１０ａのＩＤ情報”2222222222”も受信することができる。このため、端末装置９０２の利用者は、ＩＤ情報”1111111111”のＢＬＥ親機９０１とＩＤ情報”2222222222”のＢＬＥ親機９０１ａとの２つのＢＬＥ親機があることは分かるが、これらが店舗Ａに設置されたものかは、受信した情報からだけでは確認することができない。このように、ビーコンフレームにより報知されるＩＤ情報が有意な文字列ではない場合、端末装置９０２の利用者は、ＢＬＥ親機９０１が設置されている店舗名や設置者などの情報を得ることが難しく、また、一部のＢＬＥビーコンのシステムでは、ビーコンフレームにより報知できる情報が制限されていることがあり、ビーコンフレームの報知情報の中に設置場所や設置者などの文字列を記載することができない場合がある。さらに、文字列情報を記載することが可能なＢＬＥビーコンのシステムであっても、運用上、設置者が自由に文字列を設定できるシステムが用意されているとは限らず、適切な詳細情報を端末装置９０２に提供できない場合がある。
【０００７】
上記課題に鑑み、本発明では、受信端末装置の利用者が無線送信装置の適切な詳細情報を取得できる無線システム、端末装置および識別情報報知方法を提供することを目的とする。
【課題を解決するための手段】
【０００８】
第１の発明は、自装置の詳細情報を含まないＩＤ情報からなる第１報知フレームを第１無線通信方式で定期的に送信する第１無線送信装置と、第１無線送信装置の詳細情報とＩＤ情報もしくは当該ＩＤ情報の一部とを関連付けた情報を含む第２報知フレームを生成し、第２報知フレームを第１無線通信方式と異なる第２無線通信方式で定期的に送信する第２無線送信装置と、第１報知フレームと第２報知フレームとを受信して、第１報知フレームと同じＩＤ情報もしくは当該ＩＤ情報の一部を有する第２報知フレームを特定し、当該第２報知フレームから第１無線送信装置の詳細情報を取得する端末装置とを有することを特徴とする。
【０００９】
第２の発明は、ＩＤ情報と詳細情報とを関連付けたデータを記憶する管理データベースをさらに有し、第２無線送信装置は、管理データベースに記憶されたＩＤ情報と詳細情報とを用いて第２報知フレームを生成することを特徴とする。
【００１０】
第３の発明は、ネットワークを介してＩＤ情報と関連付けた詳細情報の登録を受け付けるＷｅｂ制御装置をさらに有し、第２無線送信装置は、Ｗｅｂ制御装置に登録されたＩＤ情報と詳細情報とを用いて第２報知フレームを生成することを特徴とする。この時、Ｗｅｂ制御装置に登録されたＩＤ情報と詳細情報とを第２の発明に記載の管理データベースに記録した後、第２の発明の手順により第２報知フレームを生成してもよい。
【００１１】
第４の発明では、第１無線送信装置は、ＢＬＥ規格を用いて第１報知フレームを送信し、第２無線送信装置は、無線ＬＡＮ規格を用いて第２報知フレームを送信することを特徴とする。
【００１３】
第５の発明では、端末装置は、第１無線送信装置の詳細情報を含まないＩＤ情報からなり、第１無線送信装置から第１無線通信方式で定期的に送信される第１報知フレームを受信すると共に、第１無線送信装置の詳細情報とＩＤ情報もしくは当該ＩＤ情報の一部とを関連付けされた状態で含み、第１無線送信装置とは異なる第２無線送信装置から第１無線通信方式と異なる第２無線通信方式で定期的に送信される第２報知フレームを受信する通信部と、第１報知フレームに含まれるＩＤ情報と、第２報知フレームに含まれるＩＤ情報もしくは当該ＩＤ情報の一部と詳細情報とをそれぞれ抽出するビーコン情報解読部と、ビーコン情報解読部が抽出した第１報知フレームと同じＩＤ情報もしくは当該ＩＤ情報の一部を有する第２報知フレームを特定し、当該第２報知フレームから第１無線送信装置の詳細情報を取得する判定部とを有することを特徴とする。
【００１４】
第６の発明では、端末装置の通信部は、第１無線送信装置から第１無線通信方式で送信される第１報知フレームを受信する第１通信部と、第２無線送信装置から第２無線通信方式で送信される第２報知フレームを受信する第２通信部とを有し、ビーコン情報解読部は、第１報知フレームに含まれるＩＤ情報を抽出する第１ビーコン情報解読部と、第２報知フレームに含まれるＩＤ情報もしくは当該ＩＤ情報の一部と詳細情報とを抽出する第２ビーコン情報解読部とを有することを特徴とする。
【００１５】
第７の発明では、端末装置は、判定部が取得した第１無線送信装置の詳細情報に基づいて、予め設定されたアプリケーションを起動するランチャー部をさらに有することを特徴とする。
【００１６】
第８の発明は、第１無線送信装置、第２無線送信装置および端末装置を用いた識別情報報知方法であって、第１無線送信装置は、自装置の詳細情報を含まないＩＤ情報からなる第１報知フレームを第１無線通信方式で定期的に送信し、第２無線送信装置は、第１無線送信装置の詳細情報とＩＤ情報もしくは当該ＩＤ情報の一部とを関連付けた第２報知フレームを第１無線通信方式と異なる第２無線通信方式で定期的に送信し、端末装置は、第１報知フレームと第２報知フレームとを受信し、第１報知フレームと同じＩＤ情報もしくは当該ＩＤ情報の一部を有する第２報知フレームを特定し、当該第２報知フレームから第１無線送信装置の詳細情報を取得することを特徴とする。
【発明の効果】
【００１７】
本発明に係る無線システム、端末装置および識別情報報知方法は、受信端末装置の利用者が無線送信装置の適切な詳細情報を取得できる。
【図面の簡単な説明】
【００１８】
【図１】無線システムの概要を示す図である。
【図２】第１実施形態に係る無線システムの一例を示す図である。
【図３】無線ＬＡＮ基地局から端末装置に送信されるビーコンフレームの一例を示す図である。
【図４】第２実施形態に係る無線システムの一例を示す図である。
【図５】第３実施形態に係る無線システムの一例を示す図である。
【図６】従来技術の無線システムの一例を示す図である。
【発明を実施するための形態】
【００１９】
以下、図面を参照して本発明に係る無線システム、端末装置および識別情報報知方法の実施形態について説明する。
【００２０】
ＢＬＥ親機１０１は、自局の情報を含むビーコンフレーム１１０を予め決められた間隔で送信する。自局の情報として、例えばビーコンフレーム１１０の中に用意されたＩＤ用フィールド１１１にＩＤ情報（例えば”1111111111”など）が格納される。既存のシステムの中には、ＩＤ情報として、ＵＵＩＤ(Universal Unique Identifier)と言われる値と、ｍａｉｊｏｒとｍｉｎｏｒと称される識別子を組み合わせて送信装置の識別に用いることがあるが、ここではこれらすべてを含めて、一例として、”1111111111”といった形で任意の数字列を表している。ここで、ＵＵＩＤ、ｍａｉｊｏｒとｍｉｎｏｒいったＩＤ情報は他の機器と重複しないための数字列であり、ＩＤ情報だけを見ただけではＢＬＥ親機の設置場所や設置者などに関する詳細情報を得ることはできない。また、端末装置のＩＤ情報としては、端末装置が一意に特定できればよいので、端末装置のハードウェアアドレス（例えば、非特許文献１ ｐ378  1.2 BLUETOOTH DEVICE ADDRESSING  に記載）を用いても良い。
【００２１】
ＢＬＥ親機１０１ａは、ＢＬＥ親機１０１と同様に、自局の情報を含むビーコンフレーム１１０ａを予め決められた間隔で送信する。図１の例では、ＢＬＥ親機１０１ａのビーコンフレーム１１０ａのＩＤ用フィールド１１１ａにＢＬＥ親機１０１ａのＩＤ情報として”2222222222”が格納されている。
【００２２】
端末装置１０２は、ＢＬＥ親機１０１からＩＤ情報”1111111111”を受信し、ＢＬＥ親機１０１ａからＩＤ情報”2222222222”を受信する。しかし、ＩＤ情報は有意な文字列ではないので、端末装置１０２は、ＢＬＥ親機１０１およびＢＬＥ親機１０１ａの設置場所や設置者などに関する詳細情報をこのＩＤ情報からだけでは直接には得ることができない。
【００２３】
そこで、本実施形態に係る無線システム１００では、図１に示したように、ＢＬＥ親機１０１の通信領域と重複する通信領域１３０を有する第三の無線送信装置(無線ＬＡＮ基地局１０３)を設置して、ＢＬＥ親機１０１のＩＤ情報に関連する詳細情報を報知する。図１の例では、無線ＬＡＮ規格に対応する無線ＬＡＮ基地局１０３が店舗Ａ内に設置され、無線ＬＡＮ基地局１０３が送信する無線ＬＡＮビーコンフレーム１５０によりＢＬＥ親機１０１のＩＤ情報に関連する詳細情報が提供される。なお、ここではＢＬＥ親機から送信されるビーコンフレームと区別するために、無線ＬＡＮ基地局から送信されるビーコンフレームについては無線ＬＡＮビーコンフレームと記載する。図１に示した無線ＬＡＮビーコンフレーム１５０には、詳細情報”ShopA-1111111111”が格納されているので、端末装置１０２は、店舗名”ShopA”に関連付けられるＩＤ情報が”1111111111”であることが分かり、利用者はＩＤ情報”1111111111”のＢＬＥ親機１０１が店舗Ａの設置した装置であることが受信動作のみで判断できる。
【００２４】
なお、端末装置１０２は、ＢＬＥ規格に準拠した通信回路と、無線ＬＡＮ規格に準拠した通信回路の両方を備えるものとする。
【００２５】
ここで、文字列”ShopA-1111111111”は一例であり、ＢＬＥ親機１０１に関連する詳細情報(店舗名や設置者など)とＩＤ情報との関連付けが分かればよい。すなわち、端末にてＢＬＥ親機１０１を推定するに足る情報であればよいので、ＢＬＥ親機１０１が報知しているすべてのＩＤ情報を含むことは必須ではない。例えば、末尾数ケタの情報を詳細情報と関連づければ、限られた場所においては十分である。例えば、ＢＬＥ親機１０１が報知するＩＤ情報が16進数で”1234567890abcdef1234567890abcdef11112222 ”などであった場合、限られたエリアにおいて個体を識別するだけであれば、例えば、末尾の“abcdef11112222”のみを関連付けるＩＤ情報としてもかまわない。無線ＬＡＮ基地局１０３により報知される情報は、例えば、「無線ＬＡＮ基地局１０３やＢＬＥ親機１０１の場所関連情報(設置場所や設置者などの情報)」、「ＢＬＥ親機１０１の近隣に設置されたＢＬＥ親機のＩＤ情報と設置場所や設置者などの情報」などである。一方、端末装置１０２は、ＢＬＥ親機１０１から報知されるＩＤ情報と、無線ＬＡＮ基地局１０３から報知される「無線ＬＡＮ基地局１０３の場所関連情報」および「無線ＬＡＮ基地局１０３の近隣に設置され、無線ＬＡＮ基地局１０３が管理するＢＬＥ親機のＩＤ情報」との両方の情報を平行して受信する。そして、端末装置１０２は、ＢＬＥ親機１０１のＩＤ情報と同じＩＤ情報を報知する無線ＬＡＮ基地局１０３の場所関連情報からＢＬＥ親機１０１の設置場所や設置者などを特定し、予め設定しておいた動作(アプリケーション起動、情報取得等)を実施することができる。なお、本実施形態では、詳細情報が店舗名(例えば”ShopA”)である場合について説明する。
【００２６】
また、図１では、ＢＬＥ規格に準拠するＢＬＥ親機１０１のＩＤ情報に関連する詳細情報を無線ＬＡＮ規格に準拠する無線ＬＡＮ基地局１０３から報知する例を示したが、ＢＬＥ親機１０１がＢＬＥ規格とは異なる無線送信装置の場合であっても適用可能である。さらに、無線ＬＡＮ基地局１０３が無線ＬＡＮ規格とは異なる無線送信装置を用いてＢＬＥ親機１０１のＩＤ情報に関連する詳細情報を報知するようにしてもよい。
【００２７】
このように、本実施形態に係る無線システム１００は、ＢＬＥ親機１０１の通信領域と重複する通信領域１３０を有する無線ＬＡＮ基地局１０３を設置して、無線ＬＡＮ基地局１０３がＢＬＥ親機１０１のＩＤ情報に関連する詳細情報を報知する。これにより、端末装置１０２は、ＢＬＥ親機１０１から報知されるＩＤ情報に関連する詳細情報を得ることができ、例えば、ある場所において、複数のＢＬＥ親機のＩＤ情報が受信される状況においても、その場所に関連付けられる特定のＢＬＥ親機を判別することができる。また、必要に応じては、本判断の後に、該当するＢＬＥ親機に接続を試みるケースも有り得る。
【００２８】
図２は、無線システム１００の具体例を示す。図２において、無線システム１００は、ＢＬＥ親機１０１、端末装置１０２、無線ＬＡＮ基地局１０３、制御装置１０４およびＢＬＥ管理ＤＢ１０５を有する。
【００２９】
ＢＬＥ親機１０１は、図１で説明したように、自局のＩＤ情報（例えば”1111111111”など）を含むビーコンフレーム１１０を予め決められた間隔で送信する。
【００３０】
端末装置１０２は、ＢＬＥ親機１０１から受信するビーコンフレーム１１０のＩＤ情報”1111111111”と、無線ＬＡＮ基地局１０３から受信する無線ＬＡＮビーコンフレーム１５０の情報とに基づいて、ＢＬＥ親機１０１が店舗”ShopA”により設置されていることを認識する。
【００３１】
無線ＬＡＮ基地局１０３は、ＢＬＥ親機１０１のＩＤ情報”1111111111”が店舗”ShopA”が設置した装置であることを示す情報を含む無線ＬＡＮビーコンフレーム１５０を送信する。
【００３２】
制御装置１０４は、ＢＬＥ親機１０１のＩＤ情報”1111111111”が店舗”ShopA”が設置した装置であることを示す文字列を生成して、生成した文字列を無線ＬＡＮ基地局１０３に設定する。ここで、図２の例では、無線ＬＡＮ基地局１０３、制御装置１０４およびＢＬＥ管理ＤＢ１０５を別の装置として説明したが、ＢＬＥ管理ＤＢ１０５を制御装置１０４に内蔵してもよいし、制御装置１０４およびＢＬＥ管理ＤＢ１０５を無線ＬＡＮ基地局１０３に内蔵してもよい。
【００３３】
ＢＬＥ管理ＤＢ１０５は、ＢＬＥ親機１０１のＩＤ情報と店舗名などの詳細情報とを対応付けた情報を記憶するデータベースである。なお、ＢＬＥ管理ＤＢ１０５は、複数のＢＬＥ親機を管理する場合、複数のＢＬＥ親機のＩＤ情報と詳細情報とを対応付けた情報を記憶する。
【００３４】
このように、本実施形態に係る無線システム１００は、ＢＬＥ親機１０１のＩＤ情報と、ＢＬＥ親機１０１の設置場所などに関する詳細情報とを事前にＢＬＥ管理ＤＢ１０５に登録しておき、制御装置１０４が作成したＢＬＥ親機１０１のＩＤ情報と詳細情報とを関連付けた情報を無線ＬＡＮ基地局１０３から無線ＬＡＮビーコンフレーム１５０に格納して端末装置１０２に送信する。これにより、端末装置１０２は、ＢＬＥ親機１０１から受信するビーコンフレーム１１０のＩＤ情報(”1111111111”)と同じＩＤ情報を含む無線ＬＡＮビーコンフレーム１５０を無線ＬＡＮ基地局１０３から受信して、当該無線ＬＡＮビーコンフレーム１５０に格納された詳細情報(”ShopA”)を取得することができる。
【００３５】
なお、本実施形態では、ＢＬＥ親機１０１をＢＬＥ規格に準拠する無線送信装置、無線ＬＡＮ基地局１０３を無線ＬＡＮ規格に準拠する無線送信装置、の場合について説明するが、無線ＬＡＮ基地局１０３の代わりにＢＬＥ規格に準拠する無線送信装置を用いてもよい。或いは、ＢＬＥ親機１０１の代わりに他の無線送信装置を用いてもよい。いずれの場合であっても、端末装置１０２は、ＢＬＥ親機１０１と無線ＬＡＮ基地局１０３との両方の通信方式に対応する無線通信回路を有する。
（端末装置１０２の構成例）
次に、図２に示した端末装置１０２の構成例について説明する。端末装置１０２は、無線通信部３０１、ビーコン情報解読部３０２、判定部３０３およびランチャー部３０４を有する。
【００３６】
無線通信部３０１は、ＢＬＥ規格に基づいてＢＬＥ親機１０１から送信されるビーコンフレーム１１０を受信するための無線通信回路を有する。また、無線通信部３０１は、無線ＬＡＮ規格に基づいて無線ＬＡＮ基地局１０３から送信される無線ＬＡＮビーコンフレーム１５０を受信するための無線通信回路を有する。このように、無線通信部３０１は、ＢＬＥ親機１０１と無線ＬＡＮ基地局１０３との両方の通信方式に対応することができる。ここで、本実施形態では、無線通信部３０１がＢＬＥ親機１０１と通信する回路と無線ＬＡＮ基地局１０３と通信する回路とを有する場合について説明したが、図２に示すように、ＢＬＥ親機１０１と通信するＢＬＥ用無線通信部３０１ａ(第１無線通信部)と、無線ＬＡＮ基地局１０３と通信する無線ＬＡＮ用無線通信部３０１ｂ(第２無線通信部)とに分けて実装してもよい。
【００３７】
ビーコン情報解読部３０２は、ＢＬＥ親機１０１から受信するビーコンフレーム１１０のＩＤ用フィールド１１１に格納されたＩＤ情報”1111111111”を抽出する。また、ビーコン情報解読部３０２は、無線ＬＡＮ基地局１０３から受信する無線ＬＡＮビーコンフレーム１５０のＥＳＳＩＤフィールド１５１に格納されたＥＳＳＩＤの文字列”ShopA-1111111111”を抽出する。ＥＳＳＩＤフィールドは、具体的にはIEEE802.11規格においてビーコンフレームに含まれるＳＳＩＤ情報要素であるが、本明細書ではＥＳＳＩＤフィールドと表記する。ここで、本実施形態では、ビーコン情報解読部３０２がＢＬＥ親機１０１から受信するビーコンを解読する機能と無線ＬＡＮ基地局１０３から受信するビーコンを解読する機能とを有する場合について説明したが、図２に示すように、ＢＬＥ親機１０１から受信するビーコンを解読するＢＬＥ用ビーコン情報解読部３０２ａ(第１ビーコン情報解読部)と、無線ＬＡＮ基地局１０３から受信するビーコンを解読する無線ＬＡＮ用ビーコン情報解読部３０２ｂ(第２ビーコン情報解読部)とに分けて実装してもよい。
【００３８】
判定部３０３は、ビーコン情報解読部３０２が抽出したビーコンフレーム１１０のＩＤ情報”1111111111”と同じＩＤ情報を含む文字列”ShopA-1111111111”が格納された無線ＬＡＮビーコンフレーム１５０を特定し、特定した無線ＬＡＮビーコンフレーム１５０の文字列”ShopA-1111111111”から詳細情報”ShopA”を取得する。このようにして、判定部３０３は、ＢＬＥ親機１０１が店舗”ShopA”に設置された無線送信装置であると判定する。そして、判定部３０３は、”ShopA”の無線送信装置からＩＤ情報を受信したという判定結果をランチャー部３０４に通知する。
【００３９】
ランチャー部３０４は、判定部３０３の判定結果に応じて、予め端末装置１０２にインストールされているソフトウェアを自動的に起動する。例えば、”ShopA”用のアプリケーションが端末装置１０２にインストールされている場合、ランチャー部３０４は、判定部３０３が”ShopA”の無線送信装置からＩＤ情報を受信したと判定した場合に、”ShopA”用のアプリケーションを起動する。予め対応するＩＤ情報が決められたアプリケーションを複数待機状態とするケースでは、事前に端末にて対応できるＩＤ情報を登録しておく必要から対応可能なＩＤ情報の数や店舗等の数の制限が生じる恐れがある。また、都度、ＩＤ情報に対応するアプリケーション種別などをネットワーク上のサーバ等に問い合わせるケースでは処理遅延なども懸念される。一方で、本明細書にて説明するように詳細情報を把握するランチャー機能が適切なアプリケーションの処理を起動することで、より柔軟で利用者にとって使いやすいアプリケーション起動の制御が期待できる。
【００４０】
また、端末装置１０２では、無線ＬＡＮが搭載されている場合、一般的に有する機能として、周辺に存在する無線ＬＡＮ基地局のＳＳＩＤ名（ＥＳＳＩＤフィールドに入っている文字列）のリストを画面に表示することができる。本リストを利用者が確認することで、簡易にＢＬＥ親機１０１の詳細情報を確認することも可能である。
【００４１】
このようにして、本実施形態に係る無線システム１００では、端末装置１０２は、ＢＬＥ親機１０１から受信するビーコンフレーム１１０のＩＤ情報と同じＩＤ情報を含む無線ＬＡＮビーコンフレーム１５０を無線ＬＡＮ基地局１０３から受信して、ＢＬＥ親機１０１に関する詳細情報を取得することができる。
（無線ＬＡＮ基地局１０３の構成例）
次に、図２に示した無線ＬＡＮ基地局１０３の構成例について説明する。無線ＬＡＮ基地局１０３は、ビーコン情報生成部２０１および無線ＬＡＮ通信部２０２を有する。
【００４２】
ビーコン情報生成部２０１は、ＢＬＥ親機１０１のＩＤ情報と詳細情報とを組み合わせたＥＳＳＩＤ文字列”ShopA-1111111111”を無線ＬＡＮビーコンフレーム１５０に格納する。図１の例では、ビーコン情報生成部２０１は、無線ＬＡＮビーコンフレーム１５０のＥＳＳＩＤフィールド１５１にＥＳＳＩＤ文字列”ShopA-1111111111”を格納する。
【００４３】
無線ＬＡＮ通信部２０２は、無線ＬＡＮ規格に基づいて、端末装置１０２との間で通信を行うための無線通信回路を有する。また、無線ＬＡＮ通信部２０２は、ビーコン情報生成部２０１が生成した無線ＬＡＮビーコンフレーム１５０を定期的に報知する。この報知された無線ＬＡＮビーコンフレーム１５０を端末装置１０２が受信する。
【００４４】
このようにして、本実施形態に係る無線システム１００では、ＢＬＥ親機１０１がＢＬＥ管理ＤＢ１０５に事前に登録したＩＤ情報と詳細情報とを組み合わせたＥＳＳＩＤ文字列を制御装置１０４が生成し、無線ＬＡＮ基地局１０３が無線ＬＡＮビーコンフレーム１５０のＥＳＳＩＤフィールド１５１に格納して報知し、端末装置１０２が受信する。これにより、端末装置１０２は、ＢＬＥ親機１０１から受信するビーコンフレーム１１０のＩＤ情報と同じＩＤ情報を含む無線ＬＡＮビーコンフレーム１５０を無線ＬＡＮ基地局１０３から受信して、ＢＬＥ親機１０１に関する詳細情報を取得することができる。
（制御装置１０４の構成例）
次に、図２に示した制御装置１０４の構成例について説明する。制御装置１０４は、ＳＳＩＤ文字列生成部２５０を有する。
【００４５】
ＳＳＩＤ文字列生成部２５０は、ＢＬＥ管理ＤＢ１０５からＢＬＥ親機１０１のＩＤ情報と店舗名などの詳細情報とを対応付けた情報を取得する。図２の例では、ＳＳＩＤ文字列生成部２５０は、ＢＬＥ管理ＤＢ１０５からＢＬＥ親機１０１のＩＤ情報”1111111111”と、ＢＬＥ親機１０１の識別情報の店舗名”ShopA”とを取得する。そして、ＳＳＩＤ文字列生成部２５０は、ＢＬＥ親機１０１のＩＤ情報”1111111111”と詳細情報”ShopA”とを組み合わせた文字列”ShopA-1111111111”を生成する。ここで、本実施形態では、ＩＤ情報”1111111111”と詳細情報”ShopA”とを組み合わせた文字列を”ShopA-1111111111”とする例を示したが、ＩＤ情報と詳細情報との対応が分かれば他の文字列を生成してもよい。例えば”ShopA：1111111111”でもよいし、”1111111111=ShopA”でもよい。
【００４６】
また、図２の無線システム１００では、ＢＬＥ管理ＤＢ１０５が管理するＢＬＥ親機はＢＬＥ親機１０１だけであるが、無線システム１００が複数のＢＬＥ親機を管理する場合は、それぞれのＢＬＥ親機のＩＤ情報に対応付けて詳細情報がＢＬＥ管理ＤＢ１０５に記憶される。例えば、ＩＤ情報”1111111111”のＢＬＥ親機１０１以外にＩＤ情報”3333333333”やＩＤ情報”4444444444”のＢＬＥ親機を管理する場合、ＢＬＥ管理ＤＢ１０５は、ＩＤ情報”1111111111”と”ShopA”、ＩＤ情報”3333333333”と”ShopB”、ＩＤ情報”4444444444”と”ShopC”、のように、各ＩＤ情報と詳細情報とをそれぞれ対応付けた情報を記憶媒体に記憶する。
【００４７】
このように、複数のＢＬＥ親機に関する情報がＢＬＥ管理ＤＢ１０５に記憶されている場合、ＳＳＩＤ文字列生成部２５０は、各ＩＤ情報と各ＩＤ情報に関連する詳細情報とを組み合わせた情報を生成する。例えば、ＩＤ情報”3333333333”と”ShopB”の場合、ＳＳＩＤ文字列生成部２５０は、文字列”ShopB-3333333333”を生成して、無線ＬＡＮ基地局１０３に設定する。同様に、ＩＤ情報”4444444444”と”ShopC”の場合、ＳＳＩＤ文字列生成部２５０は、文字列”ShopC-4444444444”を生成して、無線ＬＡＮ基地局１０３に設定する。
【００４８】
なお、図２では、無線ＬＡＮ基地局１０３が１台の場合の例を示したが、ＢＬＥ管理ＤＢ１０５が例えば他の店舗に設置された複数の無線ＬＡＮ基地局１０３を管理する場合は、ＢＬＥ管理ＤＢ１０５に各無線ＬＡＮ基地局とＢＬＥ親機との対応関係(例えばＢＬＥ親機１０１と無線ＬＡＮ基地局１０３が店舗”ShopA”に対応など)をシステム管理者が事前に登録しておく。この場合、例えば、”ShopA”に設置された無線ＬＡＮ基地局１０３から文字列”ShopA-1111111111”が報知され、”ShopB”に設置された無線ＬＡＮ基地局１０３から文字列”ShopB-3333333333”が報知され、”ShopC”に設置された無線ＬＡＮ基地局１０３から文字列”ShopC-4444444444”が報知される。
【００４９】
或いは、”ShopA”、”ShopB”および”ShopC”に設置された全ての無線ＬＡＮ基地局から、文字列”ShopA-1111111111”を含むビーコンフレーム、文字列”ShopB-3333333333”を含むビーコンフレーム、文字列”ShopC-4444444444”を含むビーコンフレーム、の３つのビーコンフレームが順番に報知されるようにしてもよい。または、文字列”ShopA-1111111111”、文字列”ShopB-3333333333”および文字列”ShopC-4444444444”を１つのビーコンフレームにまとめて、”ShopA”、”ShopB”および”ShopC”に設置された全ての無線ＬＡＮ基地局から報知されるようにしてもよい。
【００５０】
このようにして、本実施形態に係る無線システム１００では、端末装置１０２は、ＢＬＥ親機１０１から受信するビーコンフレーム１１０のＩＤ情報と同じＩＤ情報を含む無線ＬＡＮビーコンフレーム１５０を無線ＬＡＮ基地局１０３から受信して、各ＩＤ情報に関連する詳細情報を取得することができる。
【００５１】
なお、本実施形態では、ＢＬＥ管理ＤＢ１０５と無線ＬＡＮ基地局１０３との間に制御装置１０４を配置する例を示したが、無線ＬＡＮ基地局１０３に制御装置１０４の機能を含めてもよい。すなわち、ここで説明した制御装置の機能は本明細書の請求項においては、第２無線送信装置の機能の一部に相当する。
【００５２】
図３は、無線ＬＡＮ基地局１０３から端末装置１０２に送信されるビーコンフレームの一例を示す。なお、図３において、図２と同符号のブロックは図２のブロックと同一又は同様の機能を有する。
【００５３】
図２の例では、１つの無線ＬＡＮビーコンフレーム１５０のＥＳＳＩＤフィールド１５１にＩＤ情報と詳細情報とを組み合わせた文字列”ShopA-1111111111”をＥＳＳＩＤフィールド１５１に格納したが、図３（ａ）では、マルチＥＳＳＩＤの仕組みを用いた実現例を示す。例えば、複数のＥＳＳＩＤフィールドを有する無線ＬＡＮビーコンフレーム１５０ａにＩＤ情報と詳細情報とが別々に格納される。ここで、ＢＳＳＩＤ(Basic Service Set IDentifier)フィールド１５３は、ビーコンフレームを無線ＬＡＮ基地局装置単位で区別して使用するための識別子(ＢＳＳＩＤ)である。例えば、マルチＢＳＳＩＤを設定することにより、パソコン用の無線ＬＡＮ、ゲーム機用の無線ＬＡＮなどのように、セキュリティなどを分けて管理することができる。
【００５４】
図３（ａ）において、無線ＬＡＮビーコンフレーム１５０ａは、ＥＳＳＩＤフィールド１５１とＥＳＳＩＤフィールド１５２の２つのＥＳＳＩＤフィールドを有する。この場合、無線ＬＡＮ基地局１０３は、制御装置１０４が生成した文字列”ShopA-1111111111”の店舗名”ShopA”をＥＳＳＩＤフィールド１５１に格納し、”ShopA”に対応するＩＤ情報”1111111111”をＥＳＳＩＤフィールド１５２に格納する。ここで、一つのＢＳＳＩＤに対して複数のＥＳＳＩＤを用いるマルチＥＳＳＩＤの実現手段としては、図３（ａ）−２に示すように、複数のビーコンフレームを用いてもよい。この時、各々のビーコンフレームのＢＳＳＩＤは同じ”BSSID(1)”であることから、端末装置１０２からみると同一の無線ＬＡＮ基地局１０１から送信されている無線ＬＡＮビーコンフレームであることがわかる。
【００５５】
図３（ｂ）は、ＩＤ情報と詳細情報とが無線ＬＡＮビーコンフレーム１５０ｂおよび無線ＬＡＮビーコンフレーム１５０ｃのＢＳＳＩＤの異なる２つのビーコンフレームに分けてそれぞれ格納される、マルチＢＳＳＩＤを用いた例を示している。例えば無線ＬＡＮビーコンフレーム１５０ｂのＥＳＳＩＤフィールド１５１には店舗名”ShopA”の情報が格納され、無線ＬＡＮビーコンフレーム１５０ｃのＥＳＳＩＤフィールド１５１にはＢＬＥ親機１０１のＩＤ情報”1111111111”が格納される。このように、ＩＤ情報と詳細情報とを別のビーコンフレームに格納して送信するようにしてもよい。なお、この場合、２つのビーコンフレーム(無線ＬＡＮビーコンフレーム１５０ｂおよび無線ＬＡＮビーコンフレーム１５０ｃ)が関連するビーコンフレームであることが分かるように、例えば短時間に連続して無線ＬＡＮビーコンフレーム１５０ｂおよび無線ＬＡＮビーコンフレーム１５０ｃを送信するようにしてもよい。或いは、無線ＬＡＮビーコンフレーム１５０ｂおよび無線ＬＡＮビーコンフレーム１５０ｃが互いに関連するビーコンフレームであることが分かるように、識別子(例えば”A-1:”など)をＩＤ情報および詳細情報に付加して送信するようにしてもよい。この場合、例えば、無線ＬＡＮビーコンフレーム１５０ｂに格納されるＩＤ情報”1111111111”は文字列”A-1:1111111111”として格納され、無線ＬＡＮビーコンフレーム１５０ｃに格納される詳細情報”ShopA”は文字列”A-1:ShopA”として格納されるので、端末装置１０２は、”A-1:”の識別子により無線ＬＡＮビーコンフレーム１５０ｂと無線ＬＡＮビーコンフレーム１５０ｃとが関連するビーコンフレームであると判断できる。
【００５６】
図３（ｃ）は、  図３（ａ）と同様に１つの無線ＬＡＮビーコンフレーム１５０ｄにＩＤ情報と詳細情報とが格納されるが、例えば無線ＬＡＮビーコンフレーム１５０ｄのＥＳＳＩＤフィールド１５１には店舗名”ShopA”の情報が格納され、無線ＬＡＮビーコンフレーム１５０ｄのＶＳ(Vendor Specific)情報要素フィールド（以下、ＶＳフィールド）１５４にはＢＬＥ親機１０１のＩＤ情報”1111111111”が格納される。なお、図３（ｃ）の例では、ＶＳフィールド１５４にＩＤ情報”1111111111”を格納し、ＥＳＳＩＤフィールド１５１に”ShopA”を格納したが、ＶＳフィールド１５４に”ShopA”を格納し、ＥＳＳＩＤフィールド１５１にＩＤ情報”1111111111”を格納してもよい。
【００５７】
ここで、無線ＬＡＮの規格書では、ＥＳＳＩＤフィールドに格納可能な文字数が最大で３２文字（３２オクテット）と決められているが、ＶＳフィールドは３２文字以上の文字列を格納することが可能である。従って、ＩＤ情報や店舗名などの詳細情報の文字数が３２文字以上ある場合は、ＶＳフィールド１５４に格納するようにしてもよい。また、無線システム１００として合意がとれるのであれば、無線ＬＡＮのビーコンフレームの中に新規のフィールド（情報要素）を定義してもよい。なお、いずれの場合であっても、どのフィールドにＩＤ情報や詳細情報を格納するかは、無線システム１００として予め設定しておくものとする。或いは、ＩＤ情報の場合は”ID:1111111111”、詳細情報の場合は”DETAIL:ShopA”のように、各フィールドに格納されている情報を示す識別子”ID:”や”DETAIL:”を付加するようにしてもよい。このようにすることで、一つのＶＳフィールドに複数の情報をいれる場合などに可読性が良くなることが期待できる。これにより、端末装置１０２は、無線ＬＡＮ基地局１０３から受信するビーコンフレームの各フィールドに格納されている情報を判別することができる。
【００５８】
このようにして、本実施形態に係る無線システム１００では、端末装置１０２は、ＢＬＥ親機１０１から受信するビーコンフレーム１１０のＩＤ情報と同じＩＤ情報を含む無線ＬＡＮビーコンフレーム１５０ａ(或いは、無線ＬＡＮビーコンフレーム１５０ｂおよび無線ＬＡＮビーコンフレーム１５０ｃ、又は無線ＬＡＮビーコンフレーム１５０ｄ)を無線ＬＡＮ基地局１０３から受信して、ＢＬＥ親機１０１に関する詳細情報を取得することができる。本実施形態では、詳細情報を報知する無線送信装置として無線ＬＡＮ基地局１０３を利用するので、広く一般に利用されている無線ＬＡＮの設定だけで対応することができ、運用が容易である。
（第２実施形態）
図４は、無線ＬＡＮを用いずに詳細情報を確認する場合の一例を示す。なお、図４において、図２と同符号のブロックは図２のブロックと同一又は同様の機能を有する。
【００５９】
図４に示す無線システム１００ａでは、図２に示した無線ＬＡＮ規格に対応する無線ＬＡＮ基地局１０３の代わりに、ＢＬＥ規格に対応するＢＬＥ親機１０６が設けられる。ＢＬＥ親機１０６は、ＢＬＥ親機１０１のＩＤ情報に関する詳細情報をビーコンフレーム１６０により端末装置１０２に報知する。ここで、ビーコンフレーム１６０は、ＢＬＥ規格におけるアドバタイズメントパケットである。ビーコンフレーム１６０は、送信する自局のＩＤ情報が格納されるＩＤ用フィールド１６１を有し、加えて、任意の文字列を格納可能な付加フィールドを追加することができる。図４では、ビーコンフレーム１６０に付加フィールド１６２および付加フィールド１６３の２つの付加フィールドが追加する例を示している。付加フィールドを追加する一例としては、ＢＬＥにおけるアドバタイズメントパケットのＡＤＴｙｐｅフィールドに“ＦＦ”値を入れることで、続くＡＤ  ＤＡＴＡフィールドのフレームフォーマットを製造者が任意に定義できることとなるため、必要な付加フィールドを定義することもできる。
【００６０】
ＢＬＥ親機１０６は、ビーコン情報生成部４０１および無線通信部４０２を有する。
【００６１】
ビーコン情報生成部４０１は、図２に示したビーコン情報生成部２０１と同様に動作する。図４の例では、ビーコン情報生成部４０１は、ビーコンフレーム１６０の付加フィールド１６２に店舗名”ShopA”を格納し、付加フィールド１６３にＩＤ情報”1111111111”を格納する。ここで、ビーコン情報生成部４０１は、ＢＬＥ親機１０１のＩＤ情報と詳細情報とを組み合わせた文字列”ShopA-1111111111”をビーコンフレーム１６０の例えば付加フィールド１６２に格納してもよい。なお、制御装置１０４およびＢＬＥ管理ＤＢ１０５は、図２の場合と同様に動作するので、重複する説明は省略する。
【００６２】
無線通信部４０２は、ＢＬＥ規格に基づいて、端末装置１０２との間で通信を行うための無線通信回路を有する。本実施形態では、無線通信部４０２は、ビーコン情報生成部４０１が生成したビーコンフレーム１６０を端末装置１０２に送信する。
【００６３】
ここで、図４に示した無線システム１００ａにおける端末装置１０２の構成は、図２に示した端末装置１０２と同様であるが、無線システム１００ａの場合は無線ＬＡＮを使用しないので、無線通信部３０１は無線ＬＡＮ規格に対応する通信回路を有さなくてもよい。
【００６４】
ビーコン情報解読部３０２は、ＢＬＥ親機１０１から受信するビーコンフレーム１１０のＩＤ用フィールド１１１に格納されたＩＤ情報”1111111111”を抽出する。また、ビーコン情報解読部３０２は、ＢＬＥ親機１０６から受信するビーコンフレーム１６０において、付加フィールド１６２に格納された店舗名”ShopA”を抽出し、付加フィールド１６３に格納されたＩＤ情報”1111111111”を抽出する。
【００６５】
判定部３０３は、ビーコン情報解読部３０２が抽出したビーコンフレーム１１０のＩＤ情報”1111111111”と同じＩＤ情報を含む文字列(例えば”ShopA-1111111111”)が格納されたビーコンフレーム１６０を特定し、特定したビーコンフレーム１６０の付加フィールド１６３に格納された文字列”ShopA-1111111111”から詳細情報”ShopA”を取得する。このようにして、判定部３０３は、ＢＬＥ親機１０１が店舗”ShopA”に設置された無線送信装置であると判定する。そして、判定部３０３は、”ShopA”の無線送信装置からＩＤ情報を受信したという判定結果をランチャー部３０４に通知する。
【００６６】
ランチャー部３０４は、図２で説明したように、判定部３０３の判定結果に応じて、予め端末装置１０２にインストールされているソフトウェアを自動的に起動する。
【００６７】
このようにして、本実施形態に係る無線システム１００ａでは、端末装置１０２は、ＢＬＥ親機１０１から受信するビーコンフレーム１１０のＩＤ情報と同じＩＤ情報を含むビーコンフレーム１６０をＢＬＥ親機１０６から受信して、ＢＬＥ親機１０１に関する詳細情報を取得することができる。
【００６８】
また、本実施形態では、ＢＬＥ親機１０１と同じＢＬＥ規格に対応する別のＢＬＥ親機(無線送信装置)１０６により詳細情報を報知するので、端末装置１０２が無線ＬＡＮ規格に対応していない場合でも、端末装置１０２は、ＢＬＥ親機１０１の設置場所や設置者などの詳細情報を取得することができる。
【００６９】
さらに、ランチャー部３０４により、ＢＬＥ親機１０１の設置者に応じた適切なアプリケーションを起動することにより、店舗毎に専用のアプリケーションを常時起動しておく必要がなくなり、端末装置１０２の省電力化、省リソース化などを図ることができる。
【００７０】
ここで、店舗情報等の詳細情報を通知する手段として別のＢＬＥ親機を用いるということであれば、ＢＬＥ親機１０１自らが送信するビーコンフレームに詳細情報を付加フィールドに記載する方法が考えられるが、一部のＢＬＥ機能を用いたシステムでは、ビーコンフレームにより送信可能な情報が制限されるため、付加フィールドに詳細情報を格納することができない場合がある。ＢＬＥ親機１０１が搭載情報に制限のある装置の場合でも、本実施形態に係る無線システム１００ａでは、ＢＬＥ親機１０１とは別のＢＬＥ親機(付加フィールドに詳細情報を格納可能なＢＬＥ親機)を用いてＢＬＥ親機１０１に関連する詳細情報を送信することができる。
（第３実施形態）
図５は、第３実施形態に係る無線システム１００ｂの一例を示す。なお、図５において、図２と同符号のブロックは図２のブロックと同一又は同様の機能を有する。図５に示す無線システム１００ｂと図２に示す無線システム１００との違いは、ＢＬＥ管理ＤＢ１０５が無いことと、制御装置１０４と機能が少し異なる制御装置１０４ａを有することである。ＢＬＥ親機１０１、端末装置１０２および無線ＬＡＮ基地局１０３の構成は、図２の場合と同じである。
【００７１】
制御装置１０４ａは、ＳＳＩＤ文字列生成部２５０およびＷｅｂ＿ＩＦ部５０１を有する。
【００７２】
Ｗｅｂ＿ＩＦ部５０１は、無線システム１００ｂの管理者がＢＬＥ親機１０１のＩＤ情報や詳細情報を外部のコンピュータから登録するためのインタフェースを提供する。例えば、Ｗｅｂ＿ＩＦ部５０１は、ＩＰネットワークを介して接続されたパーソナルコンピュータから、グラフィックユーザインタフェースによる入力を受け付ける機能を有する。例えば、図５に示したグラフィックユーザインタフェースの入力例（Ｗｅｂ＿ＩＦ例５０２）では、店舗名”ShopA”や場所名”ＡＢＣビル”などを登録する入力欄と、対応するＢＬＥ親機１０１のＩＤ情報の入力欄とが設けられている。図５の例では、店舗・場所名の入力欄に”ShopA”、ＩＤ１の入力欄に”1111111111”が登録される状態を示している。なお、同じ”ShopA”に複数のＢＬＥ親機が設置されている場合は、ＩＤ２の入力欄にも設置されているＢＬＥ親機のＩＤ情報が登録される。また、図５では、”ShopA”だけを登録する例を示したが、”ShopA”以外の他の店舗や場所に設置されるＢＬＥ親機の情報を登録することで、制御装置１０４ａが異なる店舗等に設置される複数のＢＬＥ親機１０１の情報を管理することができる。ここで、Ｗｅｂ＿ＩＦ部５０１により登録されたＩＤ情報と詳細情報とを図２、図３および図４で説明した無線システム１００および無線システム１００ａのＢＬＥ管理ＤＢ１０５に記録するようにしてもよい。なお、ＩＤ情報と詳細情報とがＢＬＥ管理ＤＢ１０５に記録された後の手順は、図２、図３および図４で説明した通りである。
【００７３】
ＳＳＩＤ文字列生成部２５０は、図２の制御装置１０４と同様に動作し、Ｗｅｂ＿ＩＦ部５０１に登録されたＩＤ情報と詳細情報とを関連付けた情報(ＥＳＳＩＤ文字列)を生成する。図４の例では、制御装置１０４ａは、ＩＤ情報”1111111111”と詳細情報の店舗名”ShopA”を組み合わせた文字列”ShopA-1111111111”を生成し、無線ＬＡＮ基地局１０３に設定する。
【００７４】
無線ＬＡＮ基地局１０３は、図２の無線システム１００の場合と同様に動作し、ＳＳＩＤ文字列生成部２５０が出力する文字列”ShopA-1111111111”をＥＳＳＩＤフィールド１５１に格納する無線ＬＡＮビーコンフレーム１５０を生成し報知することで、生成した文字列を端末装置１０２が受信する。
【００７５】
端末装置１０２は、ＢＬＥ親機１０１から受信するビーコンフレーム１１０のＩＤ情報と同じＩＤ情報を含む無線ＬＡＮビーコンフレーム１５０を無線ＬＡＮ基地局１０３から受信して、ＢＬＥ親機１０１に関する詳細情報を取得することができる。
【００７６】
このように、本実施形態に係る無線システム１００ｂは、制御装置１０４ａのＷｅｂ＿ＩＦ部５０１にインターネットなどのネットワークを介してＢＬＥ親機１０１のＩＤ情報と詳細情報とを対応付けて登録できるので、システム管理者は、登録済みの店舗のＢＬＥ親機１０１を増設する場合や新規の店舗に設置する場合でも容易に対応することができる。特に、本実施形態に係る無線システム１００ｃでは、一般のＷｅｂサーバにアクセスする操作と同じような簡易なインタフェースで、ＢＬＥ親機１０１のＩＤ情報と、ＢＬＥ親機１０１に関連する詳細情報とを新規に登録したり変更したりできるので、店舗や外出先などで簡単に設定作業を行うことができる。
【００７７】
以上、各実施形態で説明したように、ＢＬＥ親機１０１がビーコンフレーム１１０により報知するＩＤ情報が有意な文字列ではない場合でも、端末装置１０２はＢＬＥ親機１０１が設置されている店舗名や設置者などの詳細情報を無線ＬＡＮ基地局１０３(又はＢＬＥ親機１０６)から取得して確認することができる。特に、端末装置１０２は、無線ＬＡＮ基地局１０３から受信する無線ＬＡＮビーコンフレーム１５０内の文字列情報に含まれるＩＤ情報（ＢＬＥ親機１０１が送信するＩＤ情報の全部、もしくは、限定されたエリア内において個体特定に足るＩＤ情報の一部）とＢＬＥ親機１０１から受信するＩＤ情報とを比較するだけの簡易な解読処理により、ＢＬＥ親機１０１の設置場所や設置者などに関する詳細情報を取得することができる。
【符号の説明】
【００７８】
１００，１００ａ，１００ｂ，９００・・・無線システム；１０１，１０１ａ，９０１・・・ＢＬＥ親機；１０２，９０２・・・端末装置；１０３・・・無線ＬＡＮ基地局；１０４，１０４ａ・・・制御装置；１０５・・・ＢＬＥ管理ＤＢ；１１０，１１０ａ，１６０，９１０，９１０ａ・・・ビーコンフレーム；１５０，１５０ａ，１５０ｂ，１５０ｃ，１５０ｄ・・・無線ＬＡＮビーコンフレーム；１１１，１１１ａ，１６１，９１１，９１１ａ・・・ＩＤ用フィールド；１５１，１５２・・・ＥＳＳＩＤフィールド；１５３・・・ＢＳＳＩＤフィールド；１５４・・・ＶＳフィールド；１６２，１６３・・・付加フィールド；２０１，４０１・・・ビーコン情報生成部；２０２・・・無線ＬＡＮ通信部；２５０・・・ＳＳＩＤ文字列生成部；３０１，４０２・・・無線通信部；３０１ａ・・・ＢＬＥ用無線通信部；３０１ｂ・・・無線ＬＡＮ用無線通信部；３０２・・・ビーコン情報解読部；３０２ａ・・・ＢＬＥ用ビーコン情報解読部；３０２ｂ・・・無線ＬＡＮ用ビーコン情報解読部；３０３・・・判定部；３０４・・・ランチャー部；５０１・・・Ｗｅｂ＿ＩＦ部；５０２・・・Ｗｅｂ＿ＩＦ例
【図１】
0006486811.tif 000002
【図２】
0006486811.tif 000003
【図３】
0006486811.tif 000004
【図４】
0006486811.tif 000005
【図５】
0006486811.tif 000006
【図６】
0006486811.tif 000007